(57)【要約】【課題】指輪を傷つける可能性を低減することができ、かつ装飾性の高いリングコネクタを提供する。【解決手段】指輪１をチェーン２に吊り下げるためのリングコネクタ１０において、チェーン２を通す本体部側チェーン通し孔２５が設けられた本体部２０と、本体部２０に設けられた棒状の支持部２６に開閉可能に支持されるアーム部材３０とを具備する。本体部２０には、アーム部材３０に形成された環状部３２が挿入される溝２３を形成し、アーム部材３０を閉じることにより、リングコネクタ１０の側面で、かつ支持部２６の上部に指輪１を通すリング通し孔５０が形成されると共に、環状部３２に形成されたアーム部材側チェーン通し孔３５と本体側チェーン通し孔２５とが重なって、リングコネクタ１０の側面にチェーン２を通す貫通孔４０が形成される。【選択図】図２
2017202067.tif 000002
【特許請求の範囲】
【請求項１】
指輪（１）をチェーン（２）に吊り下げるためのリングコネクタ（１０）において、
前記チェーン（２）を通す本体部側チェーン通し孔（２５）が設けられた本体部（２０）と、
前記本体部（２０）に設けられた棒状の支持部（２６）に開閉可能に支持されるアーム部材（３０）とを具備し、
前記本体部（２０）には、前記アーム部材（３０）に形成された環状部（３２）が挿入される溝（２３）が形成されており、
前記アーム部材（３０）を閉じることにより、前記リングコネクタ（１０）の側面で、かつ前記支持部（２６）の上部に前記指輪（１）を通すリング通し孔（５０）が形成されると共に、
前記環状部（３２）に形成されたアーム部材側チェーン通し孔（３５）と前記本体側チェーン通し孔（２５）とが重なって、前記リングコネクタ（１０）の側面に前記チェーン（２）を通す貫通孔（４０）が形成されることを特徴とするリングコネクタ。
【請求項２】
前記アーム部材（３０）が、前記環状部（３２）を支持する板状部（３１）を備え、
前記板状部（３１）は、その背面視において、前記本体部（２０）の正面視と同じ形状とされることを特徴とする請求項１に記載のリングコネクタ。
【請求項３】
前記リングコネクタ（１０）が金属で形成されており、
前記貫通孔（４０）の内壁面（６０，６１，２８，３３）に、樹脂等からなるコーティング部材（５０）が貼り付けられていることを特徴とする請求項１または２に記載のリングコネクタ。
【請求項４】
前記コーティング部材（５１）が、前記支持部（２６）の側面にも貼り付けられていることを特徴とする請求項３に記載のリングコネクタ。
【請求項５】
前記本体部（２０）の前面（２２）と、前記アーム部材（３０）の後面（３８）とが、それぞれ滑らかな曲面で構成されており、
前記本体部（２０）の前面（２２）の曲率より、前記アーム部材（３０）の後面（３８）の曲率のほうが小さくなるように構成されていることを特徴とする請求項５に記載のリングコネクタ。
【発明の詳細な説明】
【技術分野】
【０００１】
本発明は、リングコネクタに係り、特に、指輪をペンダントトップとして使用するためのリングコネクタに関する。
【背景技術】
【０００２】
従来から、指輪をペンダントトップとして使用するために、首にかけるチェーンに指輪を吊り下げるための金具であるリングコネクタが知られている。
【０００３】
特許文献１には、板部材の上下をそれぞれ略Ｕ字状に折り返してクリップ状としたリングコネクタが開示されている。
【先行技術文献】
【特許文献】
【０００４】
【特許文献１】特開２００８−９３３２４号公報
【発明の概要】
【発明が解決しようとする課題】
【０００５】
しかし、特許文献１のリングコネクタは、板部材を変形させて開口部を広げたところに指輪を挿入する構造であるため、指輪をセットする際に指輪に傷をつけてしまう可能性があった。また、指輪をセットする際にリングコネクタを変形させる必要があるため、装飾性の高いプラチナ等の金属で製作することが難しいほか、ペンダントトップとして長時間使用すると金属同士がこすれ合うことで指輪に傷がつく可能性もあった。
【０００６】
本発明の目的は、上記従来技術の課題を解決し、指輪を傷つける可能性を低減することができ、かつ装飾性の高いリングコネクタを提供することにある。
【課題を解決するための手段】
【０００７】
前記目的を達成するために、本発明は、指輪（１）をチェーン（２）に吊り下げるためのリングコネクタ（１０）において、前記チェーン（２）を通す本体部側チェーン通し孔（２５）が設けられた本体部（２０）と、前記本体部（２０）に設けられた棒状の支持部（２６）に開閉可能に支持されるアーム部材（３０）とを具備し、前記本体部（２０）には、前記アーム部材（３０）に形成された環状部（３２）が挿入される溝（２３）が形成されており、前記アーム部材（３０）を閉じることにより、前記リングコネクタ（１０）の側面で、かつ前記支持部（２６）の上部に前記指輪（１）を通すリング通し孔（５０）が形成されると共に、前記環状部（３２）に形成されたアーム部材側チェーン通し孔（３５）と前記本体側チェーン通し孔（２５）とが重なって、前記リングコネクタ（１０）の側面に前記チェーン（２）を通す貫通孔（４０）が形成される点に第１の特徴がある。
【０００８】
また、前記アーム部材（３０）が、前記環状部（３２）を支持する板状部（３１）を備え、前記板状部（３１）は、その背面視において、前記本体部（２０）の正面視と同じ形状とされる点に第２の特徴がある。
【０００９】
また、前記リングコネクタ（１０）が金属で形成されており、前記貫通孔（４０）の内壁面（６０，６１，２８，３３）に、樹脂等からなるコーティング部材（５０）が貼り付けられている点に第３の特徴がある。
【００１０】
また、前記コーティング部材（５１）が、前記支持部（２６）の側面にも貼り付けられている点に第４の特徴がある。
【００１１】
また、前記本体部（２０）の前面（２２）と、前記アーム部材（３０）の後面（３８）とが、それぞれ滑らかな曲面で構成されており、前記本体部（２０）の前面（２２）の曲率より、前記アーム部材（３０）の後面（３８）の曲率のほうが小さくなるように構成されている点に第５の特徴がある。
【発明の効果】
【００１２】
第１の特徴によれば、前記チェーン（２）を通す本体部側チェーン通し孔（２５）が設けられた本体部（２０）と、前記本体部（２０）に設けられた棒状の支持部（２６）に開閉可能に支持されるアーム部材（３０）とを具備し、前記本体部（２０）には、前記アーム部材（３０）に形成された環状部（３２）が挿入される溝（２３）が形成されており、前記アーム部材（３０）を閉じることにより、前記リングコネクタ（１０）の側面で、かつ前記支持部（２６）の上部に前記指輪（１）を通すリング通し孔（５０）が形成されると共に、前記環状部（３２）に形成されたアーム部材側チェーン通し孔（３５）と前記本体側チェーン通し孔（２５）とが重なって、前記リングコネクタ（１０）の側面に前記チェーン（２）を通す貫通孔（４０）が形成されるので、指輪をセットする際に指輪を傷つける可能性の低いリングコネクタを得ることができる。また、アーム部材を開いて指輪をセットし、アーム部材を閉じて貫通孔にチェーンを通すことで、チェーンを通している限りアーム部材が開くことのないリングコネクタを得ることができる。これにより、アーム部材を閉じた状態で保持する機構を設ける必要がなく、リングコネクタの構造が簡単になると共に、デザインの自由度が増して装飾品としての外観性を高めやすくなる。
【００１３】
第２の特徴によれば、前記アーム部材（３０）が、前記環状部（３２）を支持する板状部（３１）を備え、前記板状部（３１）は、その背面視において、前記本体部（２０）の正面視と同じ形状とされるので、板状部によって本体部の溝等が視認されなくなると共に、リングコネクタの正面視および背面視が同一外観となり、リングコネクタの装飾品としての外観性を高めることができる。
【００１４】
第３の特徴によれば、前記リングコネクタ（１０）が金属で形成されており、前記貫通孔（４０）の内壁面（６０，６１，２８，３３）に、樹脂等からなるコーティング部材（５０）が貼り付けられているので、リングコネクタのセット時や使用時に指輪に傷がつく可能性を低減することが可能となる。
【００１５】
第４の特徴によれば、前記コーティング部材（５１）が、前記支持部（２６）の側面にも貼り付けられているので、リングコネクタの使用時に指輪が揺れて支持部の側面に当接しても、指輪に傷がつく可能性を低減することができる。また、アーム部材を開閉可能に支持するピンおよびピン孔がコーティング部材によって隠されるため、さらにリングコネクタの外観性を高めることが可能となる。
【００１６】
第５の特徴によれば、前記本体部（２０）の前面（２２）と、前記アーム部材（３０）の後面（３８）とが、それぞれ滑らかな曲面で構成されており、前記本体部（２０）の前面（２２）の曲率より、前記アーム部材（３０）の後面（３８）の曲率のほうが小さくなるように構成されているので、リングコネクタの使用時に外観される面の盛り上がりを大きめにし、かつ肌や衣服に触れる面の盛り上がりを小さめにすることで、装飾品としての外観性を高めると共に、使用中にリングコネクタが傾きにくくして装着感を高めることができる。
【図面の簡単な説明】
【００１７】
【図１】リングコネクタの使用状態を示す正面図である。
【図２】リングコネクタの斜視図である。
【図３】リングコネクタの正面図である。
【図４】リングコネクタの背面図である。
【図５】リングコネクタの左側面図である。
【図６】リングコネクタの右側面図である。
【図７】リングコネクタの平面図である。
【図８】リングコネクタの底面図である。
【図９】リングコネクタの分解斜視図である。
【図１０】コーティング部材がない状態のリングコネクタの左側面図である。
【図１１】アーム部材を開いた状態を示すリングコネクタの左側面図である。
【図１２】図１１のＸＩＩ−ＸＩＩ断面図である。
【発明を実施するための形態】
【００１８】
以下、図面を参照して本発明の好ましい実施の形態について詳細に説明する。図１は、本実施形態に係るリングコネクタ１０の使用状態を示す正面図である。プラチナやシルバー等の金属で形成されるリングコネクタ１０は、指輪１をペンダントトップとして使用できるよう、首にかけるチェーン２に吊り下げるための装飾金具である。
【００１９】
図２は、リングコネクタ１０の斜視図である。本体部２０と開閉式のアーム部材３０とを有するリングコネクタ１０は、例えば、上下（高さ）１１ｍｍ、左右（厚さ）３ｍｍ、前後（奥行き）８ｍｍの寸法とされる。アーム部材３０を閉じると、リングコネクタ１０の上方寄りの位置に貫通孔４０が形成されると共に、下方寄りの位置にリング通し孔５０が形成される。リング通し孔５０の周囲には、樹脂等からなるコーティング部材５１（点描ハッチング部）が貼り付けられ、指輪１をセットする際およびペンダントトップとして使用している間に指輪１に傷がつく可能性が低減される。コーティング部材５１の厚さは、例えば、０．１ｍｍとすることができる。
【００２０】
図３は、リングコネクタ１０の正面図である。また、図４は同背面図であり、図５は同左側面図であり、図６は同右側面図であり、図７は同平面図であり、図８は同底面図である。リングコネクタ１０の正面および背面の外観は同一とされる。また、左側面と右側面の外観も同一とされ、装飾品としての外観性に優れる。リングコネクタ１０の正面および背面を構成する面は曲面で構成され、上面、底面、左右の側面は平坦面で構成される。
【００２１】
図９は、リングコネクタ１０の分解斜視図である。本体部２０の前面２２は、リングコネクタ１０の使用時に外方から最も視認されやすい部分であり、滑らかな曲面で構成することで装飾性が高められている。
【００２２】
本体部２０の側面部２９には、本体部側チェーン通し孔２５が形成されている。本体部２０の下端部には、アーム部材３０を支持する棒状の支持部２６が設けられている。支持部２６の後方寄りの位置には、アーム部材３０を開閉自在に支持するためのピン５２を通すピン孔２７が形成されている。支持部２６の上面２８は、アーム部材３０を閉じることでリング通し孔５０の底部を構成することとなる。
【００２３】
本体部２０の左右方向（厚さ方向）の中央には、例えば、幅０．７ｍｍの溝が形成されており、本体部２０の上面２１の後方端部には、アーム部材３０を開く際に指の爪を引っ掛けるための凹部２４が左右対称で形成されている。
【００２４】
アーム部材３０は、リングコネクタ１０の後端面を構成する板状部３１に、アーム部材側チェーン通し孔３５を構成する環状部３２と、ピン５２のピン孔３７を有するステー３４とを設けた構成とされている。板状部３１の前面３３は、アーム部材３０を閉じることでリング通し孔５０の後部を構成することとなる。アーム部材３０のコーティング部材５１（図２参照）は、後部を構成する部分のみに施される。
【００２５】
環状部３２は、板状部３１から立設する基部においては角が立っており、本体部２０の溝２３に挿入される先端部に向かうにつれて角が丸くなって円形断面に近づくように構成されている。これにより、環状部３２が溝２３に挿入しやすくなる、すなわち、アーム部材３０の開閉動作がスムーズになると共に、装飾品としての外観性をより高めることが可能となる。板状部３１の上面３６は、アーム部材３０を閉じた際に本体部２０の上面部２１と面一になるように形成されている。板状部３１の後面３８は、本体部２０の前面部２２よりやや曲率の小さい滑らかな曲面で構成されている。
【００２６】
図１０は、コーティング部材５１（図２参照）がない状態のリングコネクタ１０の左側面図である。また、図１１はリングコネクタ１０に指輪１をセットするためにアーム部材３０を開いた状態を示す左側面図である。リングコネクタ１０の組み立ては、本体部２０とアーム部材３０とを位置合わせしてピン５２を通し、アーム部材３０が開閉自在となった後に、コーティング部材５１（図２参照）を所定範囲に貼り付けることで行われる。コーティング部材５１を貼り付けることにより、リング通し孔５０の内壁面（天井面６０、前面６１、支持部２６の上面２８、板状部３１の前面３３）が保護されると共に、指輪１が触れる可能性のある支持部２６の両側面が保護される。さらに、ピン５２やピン孔３７が視認されなくなることで、リングコネクタ１０の外観性がより一層向上する。
【００２７】
リングコネクタ１０を使用する際には、アーム部材３０を開いて指輪１をセットし、アーム部材３０を閉じると共に、チェーン通し孔４０に所望のチェーン２を通す。これにより、アーム部材３０が開かなくなる。すなわち、アーム部材３０を閉じた状態で保持する機構を設けることなく、チェーン２を通している限り、アーム部材３０が開いて指輪１が脱落することがないリングコネクタ１０が構成される。
【００２８】
また、本体部２０の本体部側チェーン通し孔２５とアーム部材３０のアーム部材側チェーン通し孔３５とは、側面視で同一形状とされている。より具体的には、本体部側チェーン通し孔２５の頂部２５ａと、アーム部材側チェーン通し孔３５の頂部３５ａとが、アーム部材３０を全閉した際に側面視で一致するように構成されている。これにより、リングコネクタ１０を使用している間は、指輪１およびリングコネクタ１０の自重によりアーム部材３０の全閉状態が保持されることとなる。
【００２９】
一方、本体部側チェーン通し孔２５の底部２５ｂと、アーム部材側チェーン通し孔３５の底部３５ｂも、アーム部材３０を全閉した際に側面視で一致するように構成されており、リングコネクタ１０を使用している間にチェーン２が接触しないで外方から視認される底部が面一に構成されることとなり、より外観性を高めることができる。
【００３０】
図１２は、図１１のＸＩＩ−ＸＩＩ断面図である。本体部２０の溝２３は、アーム部材２０の環状部３２の下部が挿入される範囲までしか設けられておらず、リング通し孔５０の天井面６０は平坦面で構成される。これにより、本体部２０の強度を確保すると共に、コーティング部材５１の貼り付け作業が容易になる。
【００３１】
上記したように、本願発明に係るリングコネクタ１０によれば、指輪１をチェーン２に吊り下げるためのリングコネクタ１０において、チェーン２を通す本体部側チェーン通し孔２５が設けられた本体部２０と、本体部２０に設けられた棒状の支持部２６に開閉可能に支持されるアーム部材３０とを具備し、本体部２０には、アーム部材３０に形成された環状部３２が挿入される溝２３を形成し、アーム部材３０を閉じることにより、リングコネクタ１０の側面で、かつ支持部２６の上部に指輪１を通すリング通し孔５０が形成されると共に、環状部３２に形成されたアーム部材側チェーン通し孔３５と本体側チェーン通し孔２５とが重なって、リングコネクタ１０の側面にチェーン２を通す貫通孔４０が形成されるので、指輪をセットする際に指輪を傷つける可能性の低いリングコネクタ１０を得ることができる。また、アーム部材３０を開いて指輪１をセットし、アーム部材３０を閉じて貫通孔にチェーン２を通すことで、チェーン２を通している限りアーム部材３０が開くことのないリングコネクタ１０を得ることができる。これにより、アーム部材３０を閉じた状態で保持する機構を設ける必要がなく、リングコネクタ１０の構造が簡単になると共に、デザインの自由度が増して装飾品としての外観性を高めやすくなる。
【００３２】
なお、リングコネクタの形状や寸法、各部曲面の曲率、材質、コーティング部材の配置箇所および厚さや材質、アーム部材の開閉機構等は、上記実施形態に限られず、種々の変更が可能である。
【符号の説明】
【００３３】
１…指輪、２…チェーン、１０…リングコネクタ、２０…本体部、２２…前面、２３…溝、２４…凹部、２５…本体部側チェーン通し孔、２６…支持部、２８…支持部の上面、３０…アーム部材、３１…板状部、３２…環状部、３３…板状部の前面、３４…ステー、３５…アーム部材側チェーン通し孔、３６…上面、４０…貫通孔、５０…リング通し孔、５１…コーティング部材、５２…ピン、６０…天井面、６１…前面
【図１】
2017202067.tif 000003
【図２】
2017202067.tif 000004
【図３】
2017202067.tif 000005
【図４】
2017202067.tif 000006
【図５】
2017202067.tif 000007
【図６】
2017202067.tif 000008
【図７】
2017202067.tif 000009
【図８】
2017202067.tif 000010
【図９】
2017202067.tif 000011
【図１０】
2017202067.tif 000012
【図１１】
2017202067.tif 000013
【図１２】
2017202067.tif 000014